(57)【要約】【課題】ウェブページの閲覧中に別途のウェブブラウザーを使わなくても、簡単なボタン操作によりダウンロードした辞書サービスウィンドウを通じて任意の単語または表現に関する翻訳サービス及び／または発音サービスを提供するための方法及びシステムを提供する。【解決手段】端末装置に辞書サービスを提供するための方法は、（ａ）前記辞書サービスを前記端末装置で実行させるための特定項目がクリックされると、前記端末装置を利用してウェブサーフィン中であるブラウザー内部または近隣に辞書サービスウィンドウを提供する段階、（ｂ）前記辞書サービスウィンドウを通じて前記端末装置の使用者により入力された意味要請クエリー（ｑｕｅｒｙ）及び発音要請クエリーのうち少なくとも一つを含むクエリーを受信する段階、及び（ｃ）前記意味要請クエリーに対応して翻訳済みの意味データを検索して提供したり、前記発音要請クエリーに対応して発音データを検索して提供する段階を含む。【選択図】図１
2009271903.tif 000002
【特許請求の範囲】
【請求項１】
端末装置に辞書サービスを提供するための方法であって、
（ａ）前記辞書サービスを前記端末装置で実行させるための特定項目がクリックされると、前記端末装置を利用してウェブサーフィン中であるブラウザー内部または近隣に辞書サービスウィンドウを提供する段階、
（ｂ）前記辞書サービスウィンドウを通じて前記端末装置の使用者により入力された意味要請クエリー（ｑｕｅｒｙ）及び発音要請クエリーのうち少なくとも一つを含むクエリーを受信する段階、及び
（ｃ）前記意味要請クエリーに対応して翻訳済みの意味データを検索して提供したり、前記発音要請クエリーに対応して発音データを検索して提供する段階を含む辞書サービスを提供するための方法。
【請求項２】
前記特定項目は、ブックマークに含まれることを特徴とする請求項１に記載の辞書サービスを提供するための方法。
【請求項３】
前記（ａ）段階は、
前記翻訳要請クエリーを入力するためのクエリーウィンドウを提供する翻訳サービスタブ及び前記発音要請クエリーを入力するためのクエリーウィンドウを提供する発音サービスタブを前記辞書サービスウィンドウ内に提供することを特徴とする請求項１に記載の辞書サービスを提供するための方法。
【請求項４】
前記（ｂ）段階は、
前記翻訳サービスタブ及び前記発音サービスタブで提供されるクエリーウィンドウを通じて前記使用者により入力された特定単語または表現をクエリーとして受信したり、前記ウェブページに含まれている前記特定単語または表現を前記クエリーウィンドウにドラッグアンドドロップしたりすると、これをクエリーとして受信することを特徴とする請求項３に記載の辞書サービスを提供するための方法。
【請求項５】
前記（ｂ）段階は、
前記翻訳サービスタブで提供されるクエリーウィンドウを通じて入力される特定クエリーが特定閾値バイト（ｂｙｔｅ）を超過すると、自動的に前記発音サービスタブで提供されるクエリーウィンドウを通じて前記特定クエリーが入力されたこととして処理することを特徴とする請求項３に記載の辞書サービスを提供するための方法。
【請求項６】
前記特定閾値バイトは２０バイトであることを特徴とする請求項５に記載の辞書サービスを提供するための方法。
【請求項７】
前記（ｃ）段階は、
前記意味要請クエリーまたは前記発音要請クエリーに対応する情報が検索されない場合、前記意味要請クエリーまたは前記発音要請クエリーに類似する単語または表現を推薦する段階を含むことを特徴とする請求項１に記載の辞書サービスを提供するための方法。
【請求項８】
前記（ａ）段階は、
前記辞書サービスウィンドウを、前記ブラウザー内に表示されるウェブページの内容を除外した空間に提供することを特徴とする請求項１に記載の辞書サービスを提供するための方法。
【請求項９】
前記（ａ）段階は、
前記辞書サービスウィンドウを、前記ブラウザー内に表示されるウェブページにオーバーレイするように提供することを特徴とする請求項１に記載の辞書サービスを提供するための方法。
【請求項１０】
請求項１ないし９のいずれか１つに記載の方法を実行するためのコンピュータプログラムを記録したコンピュータ読み取り可能な記録媒体。
【請求項１１】
端末装置に辞書サービスを提供するためのシステムであって、
少なくとも一つの単語または表現に関して翻訳された意味データが格納されている意味情報データベース、
前記単語または表現に関する発音データが格納されている発音情報データベース、
前記端末装置の画面を通じてウェブページをディスプレーするためのブラウザー内部または近隣に辞書サービスウィンドウを提供し、前記提供された辞書サービスウィンドウを通じて前記端末装置の使用者により入力されたクエリーを受信する辞書サービスウィンドウ提供部、及び
前記辞書サービスウィンドウを通じて、意味要請クエリーまたは発音要請クエリーを含むクエリーが受信されると、前記意味要請クエリーに対応して格納された前記意味データを前記意味情報データベースから検索したり、前記発音要請クエリーに対応して格納された前記発音データを前記発音情報データベースから検索したりして提供する意味及び発音情報提供部を含む辞書サービスシステム。
【請求項１２】
前記辞書サービスウィンドウ提供部は、
前記使用者がブックマークに含まれた特定項目をクリックする動作に反応して前記ブラウザー内部または近隣に前記辞書サービスウィンドウを提供することを特徴とする請求項１１に記載の辞書サービスシステム。
【請求項１３】
前記辞書サービスウィンドウ提供部は、
前記意味要請クエリーを入力するためのクエリーウィンドウを提供する翻訳サービスタブ及び前記発音要請クエリーを入力するためのクエリーウィンドウを提供する発音サービスタブを前記辞書サービスウィンドウ内に提供することを特徴とする請求項１１に記載の辞書サービスシステム。
【請求項１４】
前記翻訳サービスタブ及び前記発音サービスタブで提供されるクエリーウィンドウを通じて前記使用者が直接特定単語または表現をクエリーとして入力したり、前記ウェブページに含まれている前記特定単語または表現を前記クエリーウィンドウにドラッグアンドドロップした場合に、
前記意味及び発音情報提供部は、前記特定単語または表現に関する前記意味データまたは前記発音データを検索して提供することを特徴とする請求項１３に記載の辞書サービスシステム。
【請求項１５】
前記辞書サービスウィンドウ提供部は、
前記翻訳サービスタブで提供されるクエリーウィンドウを通じて入力される特定クエリーが特定閾値バイトを超過する場合に、自動的に前記発音サービスタブで提供されるクエリーウィンドウを通じて前記特定クエリーが入力されたこととして処理することを特徴とする請求項１３に記載の辞書サービスシステム。
【請求項１６】
前記特定閾値バイトは２０バイトであることを特徴とする請求項１５に記載の辞書サービスシステム。
【請求項１７】
前記意味及び発音情報提供部は、
前記意味要請クエリーまたは前記発音要請クエリーに対応する情報が検索されない場合に、前記意味要請クエリーまたは前記発音要請クエリーに類似の単語または表現を検索して推薦することを特徴とする請求項１１に記載の辞書サービスシステム。
【請求項１８】
前記辞書サービスウィンドウ提供部は、
前記辞書サービスウィンドウを、前記ブラウザー内に表示されるウェブページの内容を除外した空間に提供することを特徴とする請求項１１に記載の辞書サービスシステム。
【請求項１９】
前記辞書サービスウィンドウ提供部は、
前記辞書サービスウィンドウを、前記ブラウザー内に表示されるウェブページにオーバーレイするように提供することを特徴とする請求項１１に記載の辞書サービスシステム。
【発明の詳細な説明】
【技術分野】
【０００１】
本発明は、ウェブページの閲覧中に使用者に便利な辞書サービスを提供するための方法及びシステムに関するものであり、より詳細には、ウェブページの閲覧中に別途のウェブブラウザーを使わなくても、簡単なボタン操作によりダウンロードした辞書サービスウィンドウを通じて任意の単語または表現に関する翻訳サービス及び／または発音サービスを提供するための方法及びシステムに関するものである。
【背景技術】
【０００２】
現在、各種ポータルサイトなどはユーザーの望む単語または表現に関する翻訳や発音情報のサービスなどの辞書サービスを提供している。このような辞書サービスにおいては、例えば使用者が検索しようとする単語をクエリー（ｑｕｅｒｙ）ウィンドウに入力すると、その結果として当該単語の多様な意味、発音、熟語、その単語が含まれた例文などをサーバーから提供することができた。
【０００３】
しかし、従来の辞書サービスによれば、外国語の含まれたウェブページの閲覧中に知らない単語または表現が出てくる場合、これに関してその意味または発音を調べてみるためには、他のウェブブラウザーをさらに使用し、これを通じて提供される辞書サービスを利用しなければならないため、辞書を利用しようとするときに不便な問題点があった。
【０００４】
すなわち、ウェブページの閲覧中にウェブページ上に含まれた単語や表現に関する意味（すなわち、翻訳済みの意味）や発音を調べるためには、専用サイトに移動して辞書サービスを利用しなければならないため、辞書利用が煩雑であり、ウェブサーフィンの途中に当該単語や表現に関する情報を直ちに探すことができない問題点があった。
【発明の開示】
【発明が解決しようとする課題】
【０００５】
前述した問題点を解決するためになされた本発明は、他のウェブブラウザーを別途に使わなくて使用者の簡単なボタン操作により辞書サービスウィンドウをブラウザー内に提供する方法及びシステムを提供することにその目的がある。
【０００６】
また、本発明は前記辞書サービスウィンドウを通じて使用者が検索しようとする単語または表現に関して簡便に翻訳済みの意味及び／または発音情報を提供する方法及びシステムを提供することにその目的がある。
【課題を解決するための手段】
【０００７】
前記した本発明の目的を達成し、後述する本発明の特徴的な機能を遂行するための、本発明の特徴的な構成は下記の通りである。
【０００８】
本発明の一態様では、端末装置に辞書サービスを提供するための方法であって、（ａ）前記辞書サービスを前記端末装置で実行させるための特定項目がクリックされた場合に、前記端末装置を利用してウェブサーフィン中であるブラウザー内部または近隣に辞書サービスウィンドウを提供する段階、（ｂ）前記辞書サービスウィンドウを通じて前記端末装置の使用者により入力された意味要請クエリー（ｑｕｅｒｙ）及び発音要請クエリーのうち少なくとも一つを含むクエリーを受信する段階、及び（ｃ）前記意味要請クエリーに対応して翻訳済みの意味データを検索して提供したり、前記発音要請クエリーに対応して発音データを検索して提供する段階、を含む辞書サービスを提供するための方法が提供される。
【０００９】
また、本発明の他の態様では、前述の方法を実行するためのコンピュータプログラムを記録したコンピュータ読み取り可能な記録媒体が提供される。
【００１０】
さらに、本発明のまた他の態様では、端末装置に辞書サービスを提供するためのシステムとして、少なくとも一つの単語または表現に関して翻訳された意味データが格納されている意味情報データベース、前記単語または表現に関する発音データが格納されている発音情報データベース、前記端末装置の画面を通じてウェブページをディスプレーするためのブラウザー内部または近隣に辞書サービスウィンドウを提供し、前記提供された辞書サービスウィンドウを通じて前記端末装置の使用者により入力されたクエリーを受信する辞書サービスウィンドウ提供部、及び前記辞書サービスウィンドウを通じて、意味要請クエリーまたは発音要請クエリーを含むクエリーが受信されると、前記意味要請クエリーに対応して格納された前記意味データを前記意味情報データベースから検索したり、前記発音要請クエリーに対応して格納された前記発音データを前記発音情報データベースから検索したりして提供する意味及び発音情報提供部を含む辞書サービスシステムが提供される。
【発明の効果】
【００１１】
本発明によれば、特定ブラウザーを用いてウェブサーフィンする途中、別途のウェブブラウザーを使わなくてブックマークなどに含まれた特定項目をクリックする動作だけで辞書サービスウィンドウを特定ブラウザー内に提供できるので、使用者は便利に辞書サービスを利用できる。
【００１２】
また、本発明は辞書サービスウィンドウを通じて使用者がウェブサーフィンの途中に検索しようとする単語または表現に関して翻訳された意味及び／または発音情報を使用者に提供するので、非常に使用者によって便利なユーザーインターフェース（ＵＩ）を実現できる効果がある。
【発明を実施するための最良の形態】
【００１３】
以下、本発明を実施できる特定実施形態を例示として示す添付図面を参照して本発明について詳細に説明する。後述するこれらの実施形態は当業者が本発明を十分に実施できるように詳細に説明する。本発明の多様な実施形態は互いに異なるが、相互排他的である必要はないと理解しなければならない。例えば、ここに記載されている特定形状、構造及び特性は一実施形態に関連して本発明の精神及び範囲から外れずに他の実施形態として具現することができる。また、ここに開示したそれぞれの実施形態のうち、個別構成要素の位置または配置は本発明の精神及び範囲から外れずに変更できることを理解するべきである。したがって、後述する詳細な説明は限定的な意味で扱うものでなく、本発明の範囲は、適切に説明されるならば、その請求項が主張するものと均等な全ての範囲と共に添付した特許請求範囲によってのみ限定される。
【００１４】
図１は本発明の一実施形態に係る辞書サービスシステムを例示する図面である。
【００１５】
図１に示すように、本発明の辞書サービスシステム１００は、ネットワークを介して連結された端末装置２００に辞書サービスを提供するシステムであり、辞書サービスウィンドウ提供部１１０、意味及び発音情報提供部１２０、意味情報データベース１３０、発音情報データベース１４０、通信部１５０、及び制御部１６０などを含むことができる。
【００１６】
端末装置２００は、例えばパーソナルコンピュータ、携帯電話、ＰＤＡ等の通信端末装置から構成され、端末装置２００における各種処理結果を画面表示するためのディスプレイ装置、端末使用者の操作入力を受け付けるためのキーボード、マウス、タッチパネル等の操作入力部、音声出力を行うためのスピーカ等を備えている。また、端末装置２００は、インターネットやＬＡＮ等の通信網を介して通信部１５０と通信可能に接続されている。
【００１７】
本発明の辞書サービスウィンドウ提供部１１０は、端末装置２００の画面を通じてウェブページを表示するためのブラウザー内に辞書サービスウィンドウを提供する機能を遂行する。このとき、ブックマークレット（ｂｏｏｋｍａｒｋｌｅｔ）という技術を使用すると、端末装置２００の使用者がブラウザーのブックマークなどに含まれた特定項目をクリックすることによって、ブラウザー内に辞書サービスウィンドウを提供できる。ここで、本発明の明細書で言及する「ブックマーク」とは各種サービスで提供されるブックマーク機能及びブラウザーで提供されるお気に入り（ｆａｖｏｒｉｔｅｓ）機能などを包括する広義の概念である。
【００１８】
また、辞書サービスウィンドウ提供部１１０は、辞書サービスウィンドウをブラウザー内に提供する際、当該辞書サービスウィンドウをブラウザー内に表示されるウェブページの内容を除外した空間、言い換えれば、ウェブページに表示されているコンテンツの表示領域を避けるように、例えば、重複しない空間に表示したり、その一部が重複するものの、表示されている所定のコンテンツ（主要部）と重複しないように提供したり、辞書サービスウィンドウを、ブラウザー内に表示されるウェブページの内容にオーバーレイしたりするように提供することなどの多様な変形例が可能である。
【００１９】
このような辞書サービスウィンドウ提供部１１０によれば、使用者が別途のブラウザーを使わなくても現在ウェブサーフィン中のブラウザーを通じて辞書サービスウィンドウの提供を受けることができる。
【００２０】
また、辞書サービスウィンドウ提供部１１０は、端末装置２００の使用者により辞書サービスウィンドウを通じて入力されたクエリーを端末装置２００から受信する機能を遂行する。クエリーは、意味要請クエリー及び／または発音要請クエリーを含むことができる。意味要請クエリーは、使用者が検索しようとする特定単語や表現に関して翻訳された意味を辞書サービスシステム１００から受信するための質疑語であり、発音要請クエリーは使用者が検索しようとする特定単語または表現に関する発音情報（すなわち、原語発音情報）を辞書サービスシステム１００から受信するための質疑語である。
【００２１】
一方、辞書サービスウィンドウ提供部１１０により端末装置２００のブラウザー内に提供される辞書サービスウィンドウは、翻訳サービスタブ及び／または発音サービスタブを含むことができ、これに関する具体的なＵＩの例示は、図４の以下を参照して後述する。翻訳サービスタブを選択すると、使用者が検索しようとする単語や表現を入力して意味要請クエリーを送信するためのクエリーウィンドウが提供され、発音サービスタブを選択すると、ユーザーの望む単語や表現を入力して発音要請クエリーを送信するためのクエリーウィンドウが提供される。
【００２２】
また、使用者は、翻訳サービス用クエリーウィンドウ及び発音サービス用クエリーウィンドウを通じて直接に特定単語または表現をクエリーとして入力できるだけでなく、ブラウザーを通じて閲覧中のウェブページに含まれている特定単語または表現を使用者が選択し、これをクエリーウィンドウにドラッグアンドドロップする動作によりクエリーとして入力されるように構成することもできる。
【００２３】
なお、クエリーとして入力されるテキストが非常に長い場合、一般的に翻訳済みの意味を閲覧しようとする意図より発音を聴取しようとする意図のほうが高い確率を占めるという点に着目して、以下のような変形例も実現することができる。すなわち、翻訳サービス用クエリーウィンドウを通じて入力される特定クエリーが特定閾値バイト（ｂｙｔｅ）を超過する場合、自動的に発音サービス用クエリーウィンドウを通じて特定クエリーが入力されたこととして処理することができる。例えば、特定閾値バイトは２０バイトに定めることができるが、本発明はこれに限定されるものではなく、使用者の利用形態によって多様に設定することができる。
【００２４】
一方、前述した翻訳サービスタブ及び発音サービスタブは、辞書サービスウィンドウに同時に含まれることができるが、別途の辞書サービスウィンドウに含まれることもできる。
【００２５】
本発明の意味情報データベース１３０は、第１言語で構成された少なくとも一つの単語または表現に関して第２言語への翻訳済みの意味データを対応させて格納する。
【００２６】
また、本発明の発音情報データベース１４０は、単語または表現に対してネイティブスピーカーの発音データを対応させて格納する機能を遂行する。
【００２７】
このように本発明の一実施形態に係る意味情報データベース１３０及び発音情報データベース１４０は、狭い意味のデータベースだけでなく、ファイルシステムに基づいたデータ記録などを含む広い意味のデータベースを指し示し、単純なログの集合でもこれを検索してデータを抽出できるなら、本発明のデータベースに含まれるといえる。
【００２８】
本発明の一実施形態に係る意味及び発音情報提供部１２０は、端末装置２００に表示された辞書サービスウィンドウを通じて入力された意味要請クエリーを受信すると、これに応答して意味要請クエリーに対応して格納された、翻訳済みの意味に関するデータを意味情報データベース１３０から検索して端末装置２００に提供する役割を遂行し、発音要請クエリーを受信した場合には、これに応答して発音要請クエリーに対応して格納された発音データを発音情報データベース１４０から検索して端末装置２００に提供する役割を遂行する。
【００２９】
このとき、翻訳済みの意味に関するデータは、テキスト形態の情報を含むことができる。例えば、英語−韓国語、韓国語−中国語、韓国語−日本語、及び英語−中国語などのように、多様な言語間に翻訳された情報を含むことができる。また、翻訳済みの意味に関するデータは、単語または表現に対して翻訳済みの類似語、発音記号などを含むことができる。
【００３０】
一方、意味及び発音情報提供部１２０は、受信した意味要請クエリーまたは発音要請クエリーに対応する情報が検索されない場合に、使用者が要請したクエリーに類似する単語または表現を推薦して端末装置２００に提供することができる。推薦された単語または表現は、別途のデータベース（不図示）に格納されることもでき、意味情報データベース１３０または発音情報データベース１４０に共に格納されることもできる。
【００３１】
言い換えれば、辞書サービスウィンドウ提供部１１０により提供される辞書サービスウィンドウ内の翻訳サービスタブ及び／または発音サービスタブで提供されるクエリーウィンドウを通じて使用者が直接特定単語または表現をクエリーとして入力したり、ウェブサーフィン中のウェブページに含まれている特定単語または表現をクエリーウィンドウにドラッグアンドドロップして入力したりした場合、意味及び発音情報提供部１２０は、クエリーを辞書サービスウィンドウ提供部１１０から受信してクエリーに対応して格納された翻訳済みの意味または発音情報をデータベース１３０、１４０で検索して端末装置２００に提供できる。
【００３２】
本発明の通信部１５０は、辞書サービスシステム１００が使用者端末装置２００などに各種データを送受信する機能を遂行する。
【００３３】
本発明の制御部１６０は、辞書サービスウィンドウ提供部１１０、意味及び発音情報提供部１２０、翻訳済みの意味データベース１３０、発音情報データベース１４０の間におけるデータの流れを制御する機能を遂行する。すなわち、本発明に係る制御部１６０は通信部１５０を通じて各構成モジュールの間に送受信される信号を制御することによって、辞書サービスウィンドウ提供部１１０、意味及び発音情報提供部１２０、意味情報データベース１３０、発音情報データベース１４０でそれぞれ固有の機能を遂行できるように制御する。
【００３４】
図２は本発明の一実施形態に係る辞書サービスを提供するための方法に関するフローチャートを例示する図面である。
【００３５】
図２に示すように、本発明の一実施形態に係る辞書サービスを提供する方法は、辞書サービスウィンドウをウェブサーフィン中のブラウザー内に提供するためにブックマークレット技術により設けられたブックマーク内の特定項目をクリックする動作を認識する段階（Ｓ２１０）、クリックに対応してブラウザー内に辞書サービスウィンドウを提供する段階（Ｓ２２０）、提供された辞書サービスウィンドウを通じて端末装置２００の使用者により入力されたクエリー（意味要請クエリーまたは発音要請クエリー）を受信する段階（Ｓ２３０）、及び意味要請クエリーに対応して格納された翻訳済みの意味データを意味情報データベースから検索したり、発音要請クエリーに対応して格納された発音データを発音情報データベースから検索したりして提供する段階（Ｓ２４０）を含む。
【００３６】
図３Ａから図３Ｄは、本発明の一実施形態によって端末装置２００上に辞書サービスウィンドウが表示され、辞書サービスを利用する過程を例示する図面である。
【００３７】
図３Ａのように、まず、本発明に係る使用者が任意のウェブページ上に提供されている「ｑｕｉｃｋ  ｎｃｉｋｕ」と表示された辞書サービスに関するリンク３００をクリックすると、図３Ｂに示すようにブラウザーのブックマークメニュー上に「ｑｕｉｃｋ  ｎｃｉｋｕ」という項目３１０を登録させることができる。
【００３８】
使用者がブックマークメニュー上に含まれた「ｑｕｉｃｋ  ｎｃｉｋｕ」という項目３１０をクリックすると、辞書サービスウィンドウ提供部１１０は、図３Ｃに示すように辞書サービスウィンドウ３２０をウェブサーフィン中のブラウザー内に表示できる。この時、辞書サービスウィンドウ３２０は、ウェブサーフィン中のブラウザー内にウェブページのテキスト、イメージなどの内容を除外した空間に表示することもでき、ブラウザー内に表示されるウェブページの内容にオーバーレイして表示することもできる。例えば、図３Ｃに示すように、辞書サービスウィンドウ３２０は、ブラウザー内のウェブページの主な内容を除外した空間の右下端に表示されることもできる。辞書サービスウィンドウ３２０についてのより詳細な説明は、図４Ａから図６Ｄを参照しながら後述する。
【００３９】
図３Ｄは、ブラウザーを通じたウェブサーフィン中に特定ウェブサイトで検索した単語または表現をブラウザー内に提供された辞書サービスウィンドウ３２０にドラッグアンドドロップしてクエリーを入力する過程を示す図である。
【００４０】
図４Ａ及び図４Ｂは、本発明の一実施形態における端末装置２００上に翻訳機能（別名、高速検索機能（ｑｕｉｃｋ  ｓｅａｒｃｈ））を遂行する辞書サービスウィンドウが提供される状態を例示する図面である。
【００４１】
図４Ａに示すように、端末装置２００上に表示される辞書サービスウィンドウは、入力される英語クエリーに対して中国語に翻訳された意味を提供するための翻訳サービスウィンドウ４００を含む（図４Ａには英語クエリーを想定したが、中国語クエリーを英語に翻訳するためのサービスなどのように、多様な言語間の翻訳も考えることができるのは勿論である）。このような翻訳サービスウィンドウ４００は、クエリーウィンドウ４１０、発音聴取ボタン４２０、意味表示領域４３０、及び追加情報領域４４０を含む。
【００４２】
クエリーウィンドウ４１０は、使用者が検索しようとする任意の特定単語または表現を入力する領域としての機能を遂行し、ウェブページ上に表示された特定単語または表現をドラッグアンドドロップするための目的地としての機能も遂行する。
【００４３】
発音聴取ボタン４２０は、クエリーウィンドウ４１０に入力されたクエリーに対する発音を要請する機能を遂行する。
【００４４】
意味表示領域４３０は、辞書サービスシステム１００内の意味情報データベース１３０から検索された翻訳済みの意味データを受信して表示する領域である。例えば、使用者が「ｔａｋｅ」という英語単語をクエリーウィンドウ４１０に入力すると、意味表示領域４３０には「ｔａｋｅ」という単語に対して中国語に翻訳された意味を提供することができる。例えば、意味表示領域４３０には当該翻訳済みの意味を３ラインにわたって表示することができるが、本発明はこれに限定されるものではない。また、当該単語の特定意味を１ラインに表示することが難しい場合、２ラインまで特定意味を表示することができるが、やはり本発明はこれに限定されるものではない。
【００４５】
追加情報領域４４０は、別途のウィンドウを開けて「ｎｃｉｋｕ」という辞書サービスの検索結果ページを開くことのできるリンクを含むことができる。
【００４６】
図４Ｂに示すように、端末装置２００上に表示される翻訳サービスウィンドウ４００は、推薦領域４５０を含んで構成することが可能である。
【００４７】
推薦領域４５０は、使用者が要請した単語または表現に相応する検索結果が辞書サービスシステム１００の意味情報データベース１３０などに存在しない場合に、単語または表現に対して対応して格納された推薦単語または推薦表現を表示する領域である。
【００４８】
図５Ａ及び図５Ｂは、本発明の一実施形態における端末装置２００上に表示される発音提供機能（別名、高速音声機能（ｑｕｉｃｋ  ｖｏｉｃｅ））を遂行する辞書サービスウィンドウ５００を例示する図面である。
【００４９】
図５Ａ及び図５Ｂに示すように、辞書サービスウィンドウ５００は単語／表現入力領域５１０及び発音聞き取りボタン５２０などを含む。
【００５０】
単語／表現入力領域５１０は、使用者が発音を聞こうとする単語または表現を直接入力したり、ウェブページ上に表示された特定単語または表現をドラッグアンドドロップしたりするための目的地として機能する。
【００５１】
発音聞き取りボタン５２０は、このボタンを押すと文字音声変換（ＴＴＳ）機能が行われ、単語／表現入力領域５１０に入力された単語または表現に関して発音情報を提供することができる。
【００５２】
例えば、図５Ｂに示すように、単語／表現入力領域５１０に中国語に特定表現を入力した後に発音聞き取りボタン５２０を押す場合、入力された特定表現に関するネイティブスピーカーの中国語発音を提供してもらうことができる。
【００５３】
図６Ａから図６Ｄは、本発明の一実施形態に係る端末装置２００上に表示される辞書サービスウィンドウの構成を例示する図面である。
【００５４】
図６Ａから図６Ｄに示すように、本発明の辞書サービスウィンドウ６００は、発音サービスタブ６１０及び翻訳サービスタブ６２０を含むことができる。
【００５５】
図６Ａから図６Ｃは、辞書サービスウィンドウ６００に含まれた翻訳サービスタブ６２０の機能を説明するための例であり、図４Ａ及び図４Ｂで説明した翻訳サービス機能と同一または同様であるので、それについての詳細な説明は省略する。
【００５６】
また、図６Ｄは、発音サービスタブ６１０の機能を説明するための例として、図５Ａ及び図５Ｂで説明した発音サービス機能と同一または同様であるので、それについての詳細な説明は省略する。
【００５７】
本発明に係る実施形態は多様なコンピュータ手段(制御部１６０)を通じて行われることができるプログラム命令形態で実現されてコンピュータ読取可能な記録媒体に記録されることができる。コンピュータ読取可能な記録媒体はプログラム命令、データファイル、データ構造などを単独または組合せて含むことができる。この媒体に記録されるプログラム命令は本発明のために特別に設計され構成されたものでもよく、コンピュータソフトウェアの当業者に公知され使用できるものでもよい。コンピュータ読取可能な記録媒体の例は、ハードディスク、フロッピー（登録商標）ディスク及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロップティーカールディスク（Ｆｌｏｐｔｉｃａｌ  ｄｉｓｋ）のような磁気−光媒体（ｍａｇｎｅｔｏ−ｏｐｔｉｃａｌ  ｍｅｄｉａ）、及びリードオンリーメモリ（ＲＯＭ）、ランダムアクセスメモリ（ＲＡＭ）、フラッシュメモリなどのようなプログラム命令を格納して行うように特別に構成されたハードウェア装置を含む。プログラム命令の例には、コンパイラーにより作られるような機械語コードだけでなく、インタープリターなどを使用してコンピュータによって実行されることのできる高級言語コードが含まれる。前述したハードウェア装置は本発明の動作を行うために一つ以上のソフトウェアモジュールとして作動するように構成されることができ、その逆も同様である。なお、本実施の形態におけるプログラムには、実行モジュールが動的に生成されるプログラムを含むものとする。
【００５８】
また、本実施形態によるシステムは、不図示のメモリを備えており、上記システムにて実行されるプログラムを格納することが可能となっている。上記システムでの処理における各段階は、当該不図示のメモリに格納されているプログラムを制御部１６０に実行させることにより実現されるものである。
【００５９】
以上のように、本発明では具体的な構成要素などのような特定事項と限定された実施形態及び図面により説明したが、これは本発明のより全体的な理解を助けるために提供されたものであり、本発明は前述の実施形態に限定されるものではなく、本発明が属する分野で通常的な知識を持った者であれば、このような記載から多様な修正及び変形が可能である。
【００６０】
したがって、本発明の思想はここに説明した実施形態に限定して定められてはならず、後述する特許請求の範囲だけでなく、この特許請求の範囲と均等または等価の変形のある全ては本発明の思想及び範疇に属するものである。
【図面の簡単な説明】
【００６１】
【図１】本発明の一実施形態に係る辞書サービスシステムの構成を例示する図面である。
【図２】本発明の一実施形態に係る辞書サービスを提供するための方法に関するフローチャートを例示する図面である。
【図３Ａ】本発明の一実施形態によって端末装置のブラウザーに辞書サービスウィンドウが表示される過程を例示する図面である。
【図３Ｂ】本発明の一実施形態によって端末装置のブラウザーに辞書サービスウィンドウが表示される過程を例示する図面である。
【図３Ｃ】本発明の一実施形態によって端末装置のブラウザーに辞書サービスウィンドウが表示される過程を例示する図面である。
【図３Ｄ】図３Ｄは本発明の一実施形態によって端末装置のブラウザーに辞書サービスウィンドウが表示される過程を例示する図面である。
【図４Ａ】本発明の一実施形態によって端末装置上に翻訳機能を遂行するための辞書サービスウィンドウが提供される状態を例示する図面である。
【図４Ｂ】本発明の一実施形態によって端末装置上に翻訳機能を遂行するための辞書サービスウィンドウが提供される状態を例示する図面である。
【図５Ａ】本発明の一実施形態によって端末装置上にＴＴＳ機能を遂行するための辞書サービスウィンドウが提供される状態を例示する図面である。
【図５Ｂ】本発明の一実施形態によって端末装置上にＴＴＳ機能を遂行するための辞書サービスウィンドウが提供される状態を例示する図面である。
【図６Ａ】本発明の一実施形態によって端末装置上に翻訳機能及びＴＴＳ機能を遂行するための辞書サービスウィンドウが提供される状態を例示する図面である。
【図６Ｂ】本発明の一実施形態によって端末装置上に翻訳機能及びＴＴＳ機能を遂行するための辞書サービスウィンドウが提供される状態を例示する図面である。
【図６Ｃ】本発明の一実施形態によって端末装置上に翻訳機能及びＴＴＳ機能を遂行するための辞書サービスウィンドウが提供される状態を例示する図面である。
【図６Ｄ】本発明の一実施形態によって端末装置上に翻訳機能及びＴＴＳ機能を遂行するための辞書サービスウィンドウが提供される状態を例示する図面である。
【符号の説明】
【００６２】
１００  辞書サービスシステム
１１０  辞書サービスウィンドウ提供部
１２０  意味及び発音情報提供部
１３０  意味情報データベース
１４０  発音情報データベース
１５０  通信部
１６０  制御部
２００  使用者端末装置
【図１】
2009271903.tif 000003
【図２】
2009271903.tif 000004
【図３Ａ】
2009271903.tif 000005
【図３Ｂ】
2009271903.tif 000006
【図３Ｃ】
2009271903.tif 000007
【図３Ｄ】
2009271903.tif 000008
【図４Ａ】
2009271903.tif 000009
【図４Ｂ】
2009271903.tif 000010
【図５Ａ】
2009271903.tif 000011
【図５Ｂ】
2009271903.tif 000012
【図６Ａ】
2009271903.tif 000013
【図６Ｂ】
2009271903.tif 000014
【図６Ｃ】
2009271903.tif 000015
【図６Ｄ】
2009271903.tif 000016